(57)【要約】【課題】取り外した部品を確実に取り付けることができるミルクフォーマを有する飲料製造装置を提供する。【解決手段】ケース７４１の平面視における手前側の面に対して、本体２の方向に圧力を加える押付部材４０２と、押付部材４０２を本体２の方向に押し付けるように係止する係止部材４０１と、を有する固定部材４００によって、ケース７４１を本体２に対して固定する。【選択図】図１４Ａ
2018038756.tif 000002
【特許請求の範囲】
【請求項１】
第１ギヤおよび第２ギヤ、前記第１ギヤおよび前記第２ギヤを内部空間に収容するケース、前記第１ギヤおよび前記第２ギヤの一方に設けられるポンプ側磁石、前記ポンプ側磁石と磁気結合するモータ側磁石、および前記モータ側磁石が回転軸に取り付けられるモータ、を有するミルクフォーマと、
前記ミルクフォーマを保持する本体と、
前記ケースの前記回転軸に垂直な面に対して、前記本体の方向に圧力を加える押付部材と、前記押付部材を前記本体の方向に押し付けるように係止する係止部材と、を有する固定部材と、
を有する飲料製造装置。
【請求項２】
前記押付部材は、コの字状に形成され、一方の先端部には前記係止部材が接続され、他方の先端部には前記押付部材を前記本体に対して回転可能に保持する、前記本体の一部に設けられた押付部材保持部が接続される、
請求項１に記載の飲料製造装置。
【請求項３】
前記押付部材は、弾性素材により形成されている、
請求項１または２に記載の飲料製造装置。
【発明の詳細な説明】
【技術分野】
【０００１】
本開示は、ミルクを使用する飲料製造装置に関する。
【背景技術】
【０００２】
従来、例えばコーヒー飲料や清涼飲料水を製造および／または供給する飲料製造装置が普及している。このような飲料製造装置には、例えばフォームドミルクやスチームドミルクをコーヒーと混合してコーヒー飲料を製造するものがある。なお、フォームドミルクとは、ミルクを泡立てたものである。また、スチームドミルクとは蒸気を用いて暖めたミルクであり、ミルクの泡と液体とが混ざり合った状態のものである。
【０００３】
フォームドミルクやスチームドミルクを製造できる装置（ミルクフォーマ）を備えた飲料製造装置として、例えば特許文献１に開示された技術がある。特許文献１には、以下のようなミルクフォーマが開示されている。すなわち、ミルク容器から送り出されたミルクは、第１混合室にて、空気と混合されて、フォーム状のミルクと空気との混合物（即ち、フォームドミルク）が生成される。第１混合室で生成されたフォームドミルクは、ミルクポンプにより圧縮された後、必要に応じて、第２混合室にて高温蒸気により加熱される。第２混合室から流出したフォームドミルクは、調質器に流入される。調質器は、フォームドミルクを均質化し、これによって、フォームドミルク内の気泡は微細化され、より均一にミルク内に分配される。
【先行技術文献】
【特許文献】
【０００４】
【特許文献１】特開２０１４−２１３２０９号公報
【発明の概要】
【発明が解決しようとする課題】
【０００５】
このような飲料製造装置において、ミルクフォーマ内の衛生状態を保つため、定期的にミルクフォーマを取り外して洗浄することが望ましい。しかしながら、取り外したミルクフォーマの各部品を洗浄後に取り付ける際、確実に取り付けなければミルクフォーマが正常に作動しなくなってしまう場合がある。
【０００６】
本開示の目的は、取り外した部品を確実に取り付けることができるミルクフォーマを有する飲料製造装置を提供することである。
【課題を解決するための手段】
【０００７】
本開示は、第１ギヤおよび第２ギヤ、前記第１ギヤおよび前記第２ギヤを内部空間に収容するケース、前記第１ギヤおよび前記第２ギヤの一方に設けられるポンプ側磁石、前記ポンプ側磁石と磁気結合するモータ側磁石、および前記モータ側磁石が回転軸に取り付けられるモータ、を有するミルクフォーマと、前記ミルクフォーマを保持する本体と、前記ケースの前記回転軸に垂直な面に対して、前記本体の方向に圧力を加える押付部材と、前記押付部材を前記本体の方向に押し付けるように係止する係止部材と、を有する固定部材と、を有する。
【発明の効果】
【０００８】
本開示によれば、取り外したミルクフォーマの部品を確実に取り付けることができる。
【図面の簡単な説明】
【０００９】
【図１】本開示の実施の形態に係る飲料製造装置の斜視図
【図２】コーヒー抽出部の構成を示す図
【図３】蒸気供給部、ミルク供給部、空気供給部の構成を示す図
【図４】ノズルユニットの拡大斜視図
【図５】ノズルユニットの分解図
【図６】図４の線Ｖ−Ｖ’に沿うミルクフォーマの縦断面を前方から見た時の図
【図７】ギヤポンプおよびその周辺構成の分解図
【図８】大径ギヤおよび小径ギヤと、ケースの内部空間との寸法を示す図
【図９】ミルクフォーマの左側面図であり、その内部を部分的に透視した図
【図１０】分岐部、バルブおよびモータ側ギヤを左側方から見た一部断面図であって、第１出口および第２出口の切り替えを示す図
【図１１】ノズルユニットおよびバルブ用モータの底面図
【図１２】固定部材が開いた状態のミルクフォーマおよび本体の斜視図
【図１３】固定部材が開いた状態のミルクフォーマおよび本体の分解斜視図
【図１４Ａ】固定部材が閉じた状態のミルクフォーマおよび本体の斜視図
【図１４Ｂ】固定部材が閉じた状態のミルクフォーマおよび本体の正面図
【図１５】固定部材が閉じた状態のミルクフォーマおよび本体の平面図
【発明を実施するための形態】
【００１０】
以下、本開示の各実施の形態について図面を参照して詳細に説明する。ただし、必要以上に詳細な説明、例えば、既によく知られた事項の詳細説明や実質的に同一の構成に対する重複説明等は省略する場合がある。
【００１１】
なお、以下の説明および参照される図面は、当業者が本開示を理解するために提供されるものであって、本開示の請求の範囲を限定するためのものではない。
【００１２】
＜１−１．方向の定義＞
まず、本実施の形態における方向について定義する。飲料製造装置１の前面とユーザとが正対した時の左から右、あるいは右から左に向かう軸に沿った方向を左右方向と定義する。また、飲料製造装置１の前面とユーザとが正対した時の飲料製造装置１の前面から背面、あるいは背面から前面に向かう方向を前後方向と定義する。また、飲料製造装置１の前面とユーザとが正対した時の飲料製造装置１の底面から上面、あるいは上面から底面に向かう方向を上下方向と定義する。以下では、左右方向、前後方向および上下方向に沿った軸を、それぞれｘ軸、ｙ軸、ｚ軸と称する場合がある。
【００１３】
＜１−２．飲料製造装置１の概略構成＞
図１は、飲料製造装置１の斜視図である。飲料製造装置１は、例えば業務用であって店舗等に設置される。飲料製造装置１は、本体２と、ドア３と、ボタン群４（点線で囲まれた部分を参照）と、キャニスタ５と、ミルク保冷庫６と、ノズルユニット７と、ドリップトレイ８と、を備えている。
【００１４】
ドア３は、本体２の前面に、開閉自在に取り付けられる。ボタン群４は、ドア３の前面に配置される。ボタン群４に含まれる複数のボタンには、飲料製造装置１が提供可能な飲料の種類（エスプレッソコーヒー、ドリップコーヒー（ホット・アイス）、カフェラテ（ホット・アイス）、カプチーノ（ホット・アイス）等）がそれぞれ割り当てられている。所望の飲料が割り当てられたボタンがユーザにより操作されると、飲料製造装置１は、操作されたボタンに割り当てられた飲料を製造して提供する。なお、本実施の形態における飲料製造装置１は、コーヒーを用いた飲料を製造するものとする。
【００１５】
キャニスタ５は、本体２の上面に取り付けられ、コーヒー豆を保存する。ミルク保冷庫６は、少なくとも一個のミルクパック９（後述の図３を参照）を収容して低温で保存する。
【００１６】
ノズルユニット７は、本体２の前面に設けられ、本体２の内部で製造された飲料を下方に向けて吐出する。また、ノズルユニット７は、ミルク保冷庫６から供給されたミルクを用いてフォームドミルク（ホット・コールド）、スチームミルク(ホット)、コールドミルク等を生成して下方に向けて吐出する。これらのミルクと本体２の内部で製造された飲料とがノズルユニット７からそれぞれ別々に吐出され、容器１０内で混ぜ合わせられることにより多様な飲料が生成される。
【００１７】
ドリップトレイ８は、本体２の下端部から前方に突出している。ノズルユニット７から吐出される飲料は、ドリップトレイ８に載置された飲料の容器１０に提供される。また、
ドリップトレイ８は、ノズルユニット７から垂れたり、容器１０からこぼれたりした飲料を収集し貯留する。
【００１８】
後述する図２に示すように、本体２の内部には、キャニスタ５に保存されたコーヒー豆を使ってコーヒーを生成するコーヒー抽出部２１が設けられている。また、後述する図３に示すように、本体２の内部には、蒸気供給部２２と、ミルク供給部２３と、空気供給部２４と、がさらに設けられている。なお、本件出願人は、コーヒー抽出部と、蒸気供給部、ミルク供給部および空気供給部に関し、特開２０１３−１６５８１４号公報等に開示している。よって、本実施形態において、特開２０１３−１６５８１４号公報等の開示内容に相当する部分に関しては、簡素に説明する。
【００１９】
図２は、コーヒー抽出部２１の構成を示す図である。コーヒー抽出部２１は、図２に示すように、湯タンク２１１と、湯ポンプ２１２と、フィルタ２１３と、給湯弁２１４と、コーヒー側給湯配管２１５と、昇降装置２１６と、シリンダユニット２１７と、キャップ２１８と、コーヒー液配管２２１２と、ミル２２１３と、を有する。
【００２０】
湯タンク２１１は、大気開放型のタンクであって、所定量の飲料水を、内蔵のヒータ（図示せず）により所定温度に加熱した状態で貯留する。
【００２１】
湯ポンプ２１２は、湯タンク２１１内の湯を加圧して排出させるポンプである。湯ポンプ２１２の排出口にはコーヒー側給湯配管２１５の上流端が接続される。コーヒー側給湯配管２１５には、フィルタ２１３と、電磁弁等からなる給湯弁２１４とが、上流側からこの順番で設けられる。コーヒー側給湯配管２１５の下流端は、後述のシリンダ２１９の給湯口に挿抜可能に接続される。
【００２２】
シリンダユニット２１７は、上下方向に移動可能に構成され、シリンダ２１９と、ピストン２２１０と、を有する。シリンダ２１９の上面は開口し、シリンダ２１９の下端部近傍の側面には給湯口が形成される。ピストン２２１０は、通水性を有しており、シリンダ２１９の内部空間を移動可能である。
【００２３】
キャップ２１８は、シリンダユニット２１７の上方に設けられ、上昇してきたシリンダ２１９に填め込まれてその開口を塞ぐ。シリンダ２１９を塞いだキャップ２１８の下面、シリンダ２１９の内周面およびピストン２２１０の上面で囲まれた空間がコーヒー液の抽出室を形成する。
【００２４】
キャップ２１８には、キャップ２１８の下面から上面まで貫通する抽出孔２２１１が形成される。この抽出孔２２１１を、抽出室内で得られたコーヒー液が通過する。この抽出孔２２１１の上端は、コーヒー液配管２２１２を介してコーヒー用ノズル７２に流体連通するように接続される。
【００２５】
本体２内部の上方にはミル２２１３が設けられる。ミル２２１３は、キャニスタ５に収容されたコーヒー豆を粉砕して挽き豆を生成する。
【００２６】
次に、コーヒー抽出部２１の動作を説明する。ボタン群４（図１を参照）のうちの特定のボタンが操作されると、ミル２２１３は挽き豆を生成する。生成された挽き豆は上述の抽出室に投入される。
【００２７】
次に、昇降装置２１６によりシリンダユニット２１７が上昇させられ、シリンダ２１９の開口内にキャップ２１８が押し込まれる。これにより、抽出室内の挽き豆は、ピストン２２１０とキャップ２１８との間で圧縮される。
【００２８】
次に、湯ポンプ２１２が運転され、かつ、給湯弁２１４が開いて、湯タンク２１１から、所定量の湯がシリンダ２１９内に加圧供給される。その結果、高濃度のコーヒー液が得られる。ここで、フィルタ２１３と給湯弁２１４の間には、図示しない流量計が設けられており、この流量計が、シリンダ２１９への湯の供給量を測定している。得られたコーヒー液は、キャップ２１８から送り出され、コーヒー液配管２２１２を介してコーヒー用ノズル７２から排出される。その後、ドリップトレイ８（図１を参照）に載置された容器１０に注がれる。
【００２９】
次に、本体２の内部に設けられた蒸気供給部２２、ミルク供給部２３、空気供給部２４の構成について説明する。図３は、蒸気供給部２２、ミルク供給部２３、空気供給部２４の構成を示す図である。図３に示すように、蒸気供給部２２は、電磁ポンプ２２１と、ミルク側給湯配管２２２と、ボイラ２２３と、蒸気用配管２２４と、三方弁２２５と、を有する。なお、湯タンク２１１は、コーヒー抽出部２１と共用されればよい。
【００３０】
湯タンク２１１内の湯は、電磁ポンプ２２１の運転により、ミルク側給湯配管２２２を介してボイラ２２３に供給される。ボイラ２２３は、内蔵の電気ヒータ（図示せず）により常時一定の温度になるよう制御されており、電磁ポンプ２２１の運転により供給された湯を用いて蒸気を生成する。生成された蒸気は、蒸気用配管２２４および三方弁２２５を介して、ホットミルク用ノズル７１０に供給される。
【００３１】
また、図３に示すように、ミルク供給部２３は、上述のミルク保冷庫６に加え、ミルク供給配管２３１を有する。
【００３２】
ミルク供給配管２３１の上流端は、ミルク保冷庫６に収納されたミルクパック９の内部に挿入される。また、ミルク供給配管２３１の下流端は、ギヤポンプ７４（図４等参照）のミルク用入口７４６に流体連通するように接続される。
【００３３】
また、図３に示すように、空気供給部２４は、エアポンプ２４１と、空気供給配管２４２と、空気弁２４３と、を有する。
【００３４】
エアポンプ２４１は、図示しないモータにより駆動され、外部の空気を吸入して、空気供給配管２４２に送り出す。空気供給配管２４２の下流端は、ギヤポンプ７４の空気用入口７４７に流体連通するように接続される。また、空気供給配管２４２の途中には、電磁弁等からなる空気弁２４３が設けられる。空気弁２４３が開放されると、エアポンプ２４１から送り出された空気が空気供給配管２４２を介して空気用入口７４７に供給される。
【００３５】
＜１−３．ノズルユニットおよびこれに関連する構成＞
次に、図１および図４から図１１を参照して、ノズルユニット７の詳細な構成について説明する。ノズルユニット７は、図１および図４に示すように、本体２の前面に保持され、カバー７１と、コーヒー用ノズル７２と、ミルクフォーマ７３と、を含む。なお、図４にはカバー７１は示されていない。ミルクフォーマ７３は、図４から図１１に示すように、ギヤポンプ７４と、分岐部７５と、バルブ７６と、コールドミルク用ノズル７７と、調質器７８と、ミルクフォーマ内のミルク用流路７９と、ホットミルク用ノズル７１０と、を有する。
【００３６】
ギヤポンプ７４は、ミルクを移送する移送ポンプであって、図６および図７に示すように、ケース７４１と、大径ギヤ７４２と、小径ギヤ７４３と、蓋７４４と、を有する。
【００３７】
大径ギヤ７４２および小径ギヤ７４３は、第１ギヤおよび第２ギヤの一例である。大径ギヤ７４２および小径ギヤ７４３は、互いに噛み合った状態でケース７４１内に収容される。また、大径ギヤ７４２には、ポンプ側磁石７４５が内蔵される。
【００３８】
図８は、大径ギヤ７４２および小径ギヤ７４３の寸法と、ケースの内部空間の寸法とを示す図である。本実施の形態では、図８に示すように、大径ギヤ７４２および小径ギヤ７４３の歯先円直径をＯＤ１、ＯＤ２とし、両ギヤ７４２、７４３の歯底円直径をＲＤ１、ＲＤ２とする。また、両ギヤ７４２、７４３の歯幅（ｙ軸方向幅）は互いに実質同じであり、Ｗ（図示せず）とする。また、大径ギヤ７４２は、本飲料製造装置１の正面から見て時計回りに回転し（矢印ａを参照）、小径ギヤ７４３は、同方向から見て反時計回りに回転する（矢印ｂを参照）。なお、本実施の形態では、小径ギヤ７４３は大径ギヤ７４２に従動回転する。
【００３９】
ケース７４１は、例えば樹脂等のような非磁性材料で作製される。このケース７４１には、両ギヤ７４２、７４３を収容する内部空間ＩＳ１が形成される。この内部空間ＩＳ１は、図８に示すように、大径側円弧面Ｓ１と、小径側円弧面Ｓ２と、底面Ｓ３と、上面Ｓ４と、前面Ｓ５とで定義される。
【００４０】
円弧面Ｓ１、Ｓ２は、ｙ軸方向から正面視した場合に、半径が概ねＯＤ１／２、ＯＤ２／２の円弧をなす辺を含む円弧状の面である。
【００４１】
底面Ｓ３は、正面視した場合に、両円弧面Ｓ１、Ｓ２の歯先円に接する下方側の２つの接線（図８における紙面に垂直な線分）を含む面である。それに対し、上面Ｓ４は、上方側の２つの接線（図８における紙面に垂直な線分）を含む面である。前面Ｓ５は、面Ｓ１〜Ｓ４で囲まれた空間ＩＳ１を本体２の前面側（図８における手前側）で閉止する面である。
【００４２】
なお、内部空間ＩＳ１は、上記寸法に対して公差程度の差を有していてもよい。また、ギヤポンプ７４の設計段階で、上記寸法に対して若干余裕を持つように設計されてもよい。
【００４３】
また、ケース７４１は、図６および図７に示すように、ミルク用入口７４６と、空気用入口７４７と、ミルク用出口７４８と、を有する。ミルク用入口７４６は、ケース７４１の上面Ｓ４に形成された貫通孔を介してギヤポンプ７４の吸込み側と流体連通可能な円筒または管状の部材である。ミルク用入口７４６には、上述のミルク供給配管２３１の下流端が流体連通可能に接続される。
【００４４】
空気用入口７４７は、ケース７４１に形成された貫通孔を介してギヤポンプ７４の内部空間ＩＳ１と流体連通可能な円筒または管状の部材である。空気用入口７４７には、上述の空気供給配管２４２の下流端が流体連通可能に接続される。
【００４５】
なお、本実施の形態では、空気用入口７４７は、ミルク用入口７４６と同様に、ギヤポンプ７４の吸込み側と流体連通可能に構成されている。ミルク用入口７４６および空気用入口７４７は、上面Ｓ４の中央またはその近傍に形成されることが好ましい。
【００４６】
ミルク用出口７４８は、出口の一例であって、ケース７４１の底面Ｓ３に形成された貫通孔である。このミルク用出口７４８は、分岐部７５と流体連通可能である。ミルク用出口７４８は、底面Ｓ３の中央またはその近傍に形成されることが好ましい。
【００４７】
以上のケース７４１は、図６等に示すように、内部空間ＩＳ１の底面Ｓ３がｘｙ平面と平行になるよう本体２の前面に取り付けられる。そして、蓋７４４は、両ギヤ７４２、７４３が収容されたケース７４１の開口部分を閉止する。
【００４８】
大径ギヤ７４２を回転させるために、本体２には、図５から図７に示すように、ギヤポンプ用モータ２５が内蔵される。ギヤポンプ用モータ２５は、モータの一例であって、回転軸２５１と、モータ側磁石２５２と、を有する。モータ側磁石２５２は、大径ギヤ７４２に内蔵されたポンプ側磁石７４５（図６を参照）とマグネットカップリングして、ギヤポンプ用モータ２５で生成された駆動トルクをポンプ側磁石７４５に伝達する。
【００４９】
分岐部７５は、図９に示すように、前後方向に延在する円筒または管状の部材である。この分岐部７５には円柱形状の内部空間ＩＳ２が形成される。分岐部７５の上部前寄りには、ミルク用出口７４８と流体連通する入口７５１が形成される。分岐部７５の下部後端側には、コールドミルク用ノズル７７と流体連通する第１出口７５２が形成される。分岐部７５の前端には、後述のミルク用流路７９と流体連通するように第２出口７５３が形成される。分岐部７５の後端は、後述のバルブ７６が挿入される開口７５４が形成されている。
【００５０】
バルブ７６は、分岐部７５の内部空間ＩＳ２の開口７５４に挿入され、ほぼ円柱形状の回転体７６１を有する。この回転体７６１の外周面（換言すると、側面）には、第１リング溝７６２と、第２リング溝７６３とが形成される。第１リング溝７６２の軸芯はｙ軸と平行であるが、リング溝７６３の軸芯は、ｙ軸と非平行で、ｘ軸方向からの平面視でｙ軸に対し斜めになっている。以上の第１リング溝７６２および第２リング溝７６３には、図１０に示すように、第１Ｏリング７６４および第２Ｏリング７６５が取り付けられる。なお、図９には、便宜上、Ｏリング７６４、７６５は示されておらず、図１０には、便宜上、リング溝７６２、７６３は示されていない。
【００５１】
ここで、両Ｏリング７６４、７６５の間のｙ軸方向における空間距離（以下、リング間距離という）ｄは、図１０に示すように、バルブ７６の周面上の位置（換言すると、バルブ７６の中心軸からの方位）により異なる。従って、回転体７６１の回転により、図１０上段に示すように、リング間距離ｄの最短の部分が上方を向いた時、入口７５１と第２出口７５３とが流体連通し（一点鎖線の矢印を参照）、図１０下段に示すように、この最短部分が下方を向いた時、入口７５１と第１出口７５２とが流体連通する（一点鎖線の矢印を参照）。
【００５２】
また、バルブ７６の回転のために、図１０に示すように、バルブ７６の後端には、バルブ側ギヤ７６６が取り付けられる。より具体的には、バルブ側ギヤ７６６は、自身の回転軸と、バルブ７６の中心軸とが軸合わせされた状態で取り付けられる。ここで、ミルクフォーマ７３を本体２に取り付け容易にするために、バルブ側ギヤ７６６が本体２に対し挿抜可能になっていることが好ましい。
【００５３】
バルブ７６の回転のために、本体２には、図４および図５に示すように、バルブ用モータ２６が内蔵される。バルブ用モータ２６は、図１１に示すように、回転軸２６１と、モータ側ギヤ２６２と、を有する。モータ側ギヤ２６２は、図１１に示すように、回転軸２６１の先端に固定され、バルブ側ギヤ７６６と噛み合う。
【００５４】
コールドミルク用ノズル７７は、分岐部７５を介してケース７４１に一体的に取り付けられている。このコールドミルク用ノズル７７は、図９に示すように、上下方向に延在する円筒または管状の部材である。このコールドミルク用ノズル７７には円柱形状の内部空間ＩＳ３が形成される。コールドミルク用ノズル７７の上端には、第１出口７５２と内部空間ＩＳ３とを流体連通させる入口が形成される。また、コールドミルク用ノズル７７の下端は内部空間ＩＳ３と流体連通するように開口し、この開口から内部空間ＩＳ３に調質器７８が挿入される。
【００５５】
ミルク用流路７９の上流端は第２出口７５３と流体連通可能に接続され、その下流端はホットミルク用ノズル７１０と流体連通可能に接続される。ホットミルク用ノズル７１０は、図５に示すように、蒸気用配管２２４の下流端と流体連通可能に接続される。
【００５６】
なお、上述したミルクフォーマ７３の構成要素は、図４および図５においては図示を省略したが、後述の固定部材４００によって本体２に固定される。固定部材４００の詳細については、後述する。
【００５７】
＜１−４．ミルクフォーマの動作（スチームミルク作成時）＞
次に、上記構成のミルクフォーマ７３の動作例について説明する。まず、ボタン群４のうちの特定のボタンが操作され、操作されたボタンがスチームミルクを使用した飲料であった場合、本体２内部に設けられた図示しないマイコンは、以下のように上記構成の各部を制御する。
【００５８】
マイコンは、バルブ用モータ２６を駆動する。これにより、回転軸２６１が回転する。回転軸２６１に生じた力は、先端のモータ側ギヤ２６２およびバルブ側ギヤ７６６を介して、バルブ７６に伝達される。スチームミルクを生成する場合、マイコンは、バルブ用モータ２６を制御して、リング間距離ｄの最短部分が上方を向くようにバルブ７６を回転させ停止させる。これにより、分岐部７５の内部空間ＩＳ２には、入口７５１から第２出口７５３への向かう流路（図１０上段の一点鎖線の矢印を参照）が形成される。
【００５９】
マイコンはさらに、電磁ポンプ２２１を運転し、三方弁２２５に通電する。これにより、湯タンク２１１の湯は、ミルク側給湯配管２２２を介してボイラ２２３に流入し始める。流入した湯はボイラ２２３により蒸気となり、蒸気用配管２２４を介してホットミルク用ノズル７１０に供給される。
【００６０】
マイコンはさらに、ギヤポンプ用モータ２５を駆動する。その結果、回転軸２５１に生じた回転力は、モータ側磁石２５２とポンプ側磁石７４５との間のマグネットカップリングにより、大径ギヤ７４２に伝達される。その結果、大径ギヤ７４２が回転し始め、小径ギヤ７４３は大径ギヤ７４２と従動回転する。この時、両ギヤ７４２、７４３は内部空間ＩＳ１の吸込み側において開く方向（図８の矢印ａ、ｂを参照）に回転する。かかる回転により、内部空間ＩＳ１の吸込み側には負圧が生じて、ミルクパック９内のミルクは、ミルク供給配管２３１およびミルク用入口７４６を介して、ギヤポンプ７４の内部空間ＩＳ１（より具体的には吸込み側）に供給され始める。吸込み側のミルクは、両ギヤ７４２、７４３の回転により、これらの外側を回って吐出側に送られ、両ギヤ７４２、７４３の噛み合いによりミルク用出口７４８から吐出される。
【００６１】
なお、スチームミルク作成時、エアポンプ２４１は停止、空気弁２４３は閉止される。即ち、ギヤポンプ７４は、空気供給部２４による空気の供給を受けない。
【００６２】
ミルク用出口７４８から吐出されたミルクは、分岐部７５の入口７５１に供給される。入口７５１から内部空間ＩＳ２に流入したミルクは、内部空間ＩＳ２を通って第２出口７５３から吐出され、その後、ミルク用流路７９を介して、ホットミルク用ノズル７１０に流入する。上記の通り、ホットミルク用ノズル７１０には、蒸気用配管２２４から蒸気が供給される。ホットミルク用ノズル７１０の内部ではミルクが蒸気で加熱され、これによって、スチームミルクが生成される。生成されたスチームミルクは、ホットミルク用ノズル７１０から容器１０に向けて吐出される。
【００６３】
＜１−５．ミルクフォーマの動作（コールドミルク作成時）＞
また、ボタン群４のうちの特定のボタンが操作され、操作されたボタンがコールドミルクを使用した飲料であった場合、本体２内部に設けられた図示しないマイコンは、以下のように上記構成の各部を制御する。
【００６４】
まず、マイコンは、バルブ用モータ２６を制御して、リング間距離ｄの最短部分が下方を向くようにバルブ７６を回転させ停止させる。これにより、分岐部７５の内部空間ＩＳ２には、入口７５１から第１出口７５２への流路（図１０下段の一点鎖線の矢印を参照）が形成される。
【００６５】
マイコンはさらに、ギヤポンプ用モータ２５を駆動する。これにより、１−４欄での説明と同様に、ミルクパック９内のミルクが、ギヤポンプ７４の内部空間ＩＳ１（より具体的には吸込み側）に供給され始める。吸込み側のコールドミルクは、両ギヤ７４２、７４３の回転により、ミルク用出口７４８から吐出される。
【００６６】
コールドミルク作成時、ギヤポンプ７４は、空気供給部２４から空気の供給を受けない。
【００６７】
ミルク用出口７４８からのミルクは、分岐部７５の入口７５１に供給される。入口７５１から内部空間ＩＳ２に流入したミルクは、内部空間ＩＳ２を通って第１出口７５２から吐出され、コールドミルク用ノズル７７の上端から内部空間ＩＳ３に流入する。流入したミルクは、コールドの状態を保ったまま、コールドミルク用ノズル７７の下端から、容器１０に向けて吐出される。
【００６８】
＜１−６．ミルクフォーマの動作（コールドのフォームドミルク作成時）＞
また、ボタン群４のうちの特定のボタンが操作され、操作されたボタンがコールドのフォームドミルクを使用した飲料であった場合、本体２内部に設けられた図示しないマイコンは、以下のように上記構成の各部を制御する。
【００６９】
まず、マイコンは、バルブ用モータ２６を制御して、リング間距離ｄの最短部分が下方を向くようにバルブ７６を回転させ停止させる。これにより、分岐部７５の内部空間ＩＳ２には、入口７５１から第１出口７５２への流路（図１０下段の一点鎖線の矢印を参照）が形成される。
【００７０】
次に、マイコンは、コールドのフォームドミルクの作成時、空気弁２４３を開放し、エアポンプ２４１を駆動する。その結果、外部の空気は、エアポンプ２４１に取り込まれ、空気供給配管２４２およびギヤポンプ７４の空気用入口７４７を介して、ギヤポンプ７４の内部空間ＩＳ１に供給される。
【００７１】
マイコンはさらに、ギヤポンプ用モータ２５を駆動する。これにより、１−４欄での説明と同様にして、ミルクパック９内のミルクは、ギヤポンプ７４の内部空間ＩＳ１（より具体的には吸込み側）に供給され始める。
【００７２】
ギヤポンプ７４において、吸込み側のミルクおよび空気は、両ギヤ７４２、７４３の回転により混合され、これによって、コールドのフォームドミルクが生成される。生成されたコールドのフォームドミルクは、回転する両ギヤ７４２、７４３の外側を回り、ミルク用出口７４８から吐出される。
【００７３】
ミルク用出口７４８から吐出されたコールドのフォームドミルクは、分岐部７５の入口７５１に供給された後、内部空間ＩＳ２を通って第１出口７５２から吐出されて、コールドミルク用ノズル７７の上端から内部空間ＩＳ３に流入する。内部空間ＩＳ３には、前述のように調質器７８が設けられている。調質器７８は、流入したコールドのフォームドミルクの特性を均質化して、コールドミルク用ノズル７７の下端から、容器１０に向けて吐出される。
【００７４】
＜１−７．ミルクフォーマの動作（ホットのフォームドミルク作成時）＞
また、ボタン群４のうちの特定のボタンが操作され、操作されたボタンがホットのフォームドミルクを使用した飲料であった場合、本体２内部に設けられた図示しないマイコンは、以下のように上記構成の各部を制御する。
【００７５】
まず、マイコンは、バルブ用モータ２６を制御して、リング間距離ｄの最短部分が上方を向くようにバルブ７６を回転させ停止させる。これにより、分岐部７５の内部空間ＩＳ２には、入口７５１から第２出口７５３への向かう流路（図１０上段の一点鎖線の矢印を参照）が形成される。
【００７６】
また、１−４欄に記載した通り、蒸気が蒸気用配管２２４を介してホットミルク用ノズル７１０に供給される。
【００７７】
また、１−６欄に記載した通り、ギヤポンプ７４では、コールドのフォームドミルクが生成され、ミルク用出口７４８から吐出される。
【００７８】
ミルク用出口７４８から吐出されたコールドのフォームドミルクは、分岐部７５の入口７５１に流入し、第２出口７５３から吐出された後、ミルク用流路７９を介して、ホットミルク用ノズル７１０に流入する。上記の通り、ホットミルク用ノズル７１０には、蒸気用配管２２４から蒸気が供給される。ホットミルク用ノズル７１０の内部ではフォームドミルクが蒸気で加熱され、これによって、ホットのフォームドミルクが生成される。生成されたホットのフォームドミルクは、ホットミルク用ノズル７１０から容器１０に向けて吐出される。
【００７９】
＜１−８．固定部材４００の詳細な説明＞
次に、ミルクフォーマ７３の各構成要素を本体２に固定するための固定部材４００について詳細に説明する。
【００８０】
＜１−８−１．発明に至る経緯＞
ミルクフォーマ７３の各構成要素、すなわち、ギヤポンプ７４、分岐部７５、バルブ７６、コールドミルク用ノズル７７、調質器７８、ミルクフォーマ内のミルク用流路７９、および、ホットミルク用ノズル７１０を本体２に固定する方法として、例えばギヤポンプ７４のケース７４１に設けられた爪状の固定部材やねじ止め部材等による方法がある（図示は省略）。このような固定方法では、以下のような問題点がある。
【００８１】
第１に、ねじ止め部材によりミルクフォーマ７３が本体２に固定される場合、ミルクフォーマ７３のギヤポンプ７４内部の洗浄の際に、ねじ止めを外すための工具（ドライバー等）が必要となる。このため、飲料製造装置１のメンテナンス性が低い。
【００８２】
第２に、爪状の固定部材による固定では、ケース７４１および蓋７４４と本体２との間に遊びが生じる。この遊びは、固定部材の作成精度に起因する公差を吸収するために必要なものである。しかしながら、この遊びのため、ケース７４１および蓋７４４が本体２に必ずしも密着して固定されない（確実に固定されない）事態が生じうる。ケース７４１および蓋７４４が本体２に密着して固定されないと、以下のような不利益が生じる。
【００８３】
ミルクフォーマ７３のギヤポンプ７４は、上述したようにモータ側磁石２５２とマグネットカップリングされてポンプ用モータ２５の駆動トルクを伝達されるポンプ側磁石７４５を有する。このように、ギヤポンプ７４はマグネットカップリングによって駆動トルクを得ており、ギヤポンプ７４が所定の設計上意図された駆動トルクを得るためには、ポンプ側磁石７４５とモータ側磁石２５２との距離が予め設定された所定距離でなければならない。しかしながら、ケース７４１および蓋７４４が本体２に密着して固定されない事態が生じると、ポンプ側磁石７４５とモータ側磁石２５２との距離が所定距離ではなくなるので、ギヤポンプ７４が所定の駆動トルクを得ることができなくなってしまうことがある。
【００８４】
以下説明する、本開示の実施の形態における固定部材４００は、上述したようなミルクフォーマ７３の固定方法の問題点を解消するものである。
【００８５】
＜１−８−２．固定部材４００の説明＞
図１２から図１５において、ミルクフォーマ７３を本体２に固定する固定部材４００を例示する。図１２は、固定部材４００が開いた状態のミルクフォーマ７３および本体２の斜視図である。図１３は、固定部材４００が開いた状態のミルクフォーマ７３および本体２の分解斜視図である。図１４Ａは、固定部材４００が閉じた状態のミルクフォーマ７３および本体２の斜視図である。図１４Ｂは、固定部材４００が閉じた状態のミルクフォーマ７３および本体２の正面図である。図１５は、固定部材４００が閉じた状態のミルクフォーマ７３および本体２の平面図である。なお、図１５は、図１４ＢにおけるＡ−Ａ’断面図である。
【００８６】
図１２から図１４に示すように、固定部材４００は、係止部材４０１と、押付部材４０２と、押付部材保持部４０３と、を有する。
【００８７】
係止部材４０１は、側面視において例えばＳ字形状に形成された、ほぼ板状の部材である。係止部材４０１は、その側面のほぼ中心において後述の押付部材４０２に接続され、押付部材４０２に対して回転可能に固定されている。係止部材４０１の側面視における両端部は、かぎ状に形成されており、図１４Ａに示すように、本体２の一部において先端がかぎ状となるように形成された係止受け部２７と噛み合って係止されることで、押付部材４０２を本体２の方向に押し付けるように係止することができる。係止部材４０１は、例えば樹脂等により形成されればよい。なお、本実施の形態において、係止部材４０１が係止受け部２７に係止された状態を、固定部材４００が閉じた状態と称し、係止部材４０１が係止受け部２７に係止されていない状態を、固定部材４００が開いた状態と称している。
【００８８】
押付部材４０２は、その両端部が係止部材４０１と押付部材保持部４０３にそれぞれ接続されており、ケース７４１の平面視における手前側の面に対して本体２の方向に圧力を加える部材である。押付部材４０２は、例えばある程度の弾力性を有する２本の金属棒を、飲料製造装置１の上側から見た場合にほぼコの字形状に（断面コの字状に）なるよう曲げ加工されて形成される。押付部材４０２のコの字における上側の線と下側の線に相当する部位（すなわち、押付部材４０２の両先端部付近の部位）は、それぞれ、係止部材４０１に接続される部位、および、押付部材保持部４０３に接続される部位である。そして、押付部材４０２のコの字における縦線に相当する部位は、図１４Ｂおよび図１５に示すように、係止部材４０１が係止受け部２７に係止された状態において、ギヤポンプ７４のケース７４１の表面に密着し、ケース７４１に対して本体２の方向に圧力を加える。また、押付部材４０２のコの字における縦線に相当する部位は、ケース７４１の表面に設けられた２つのガイド部材７４１２に沿うように設けられる。なお、以下の説明では、押付部材４０２のコの字形状における上側の線と下側の線に相当する部位を、押付部材４０２の側方部位、縦線に相当する部位を押付部材４０２の手前側部位と称することがある。
【００８９】
なお、ガイド部材７４１２は、図１４Ｂ等に示すように、ケース７４１の上下２線にほぼ沿った状態でケース７４１の平面視における手前側の面に設けられた突起状の部材である。ガイド部材７４１２は、ケース７４１と押付部材４０２との位置関係を一意に定め、ケース７４１と押付部材４０２とが飲料製造装置１の上下方向にずれることがないようにするための部材である。
【００９０】
押付部材４０２を構成する２本の金属棒のうち、飲料製造装置１における上側の金属棒の手前側部位は、上下方向に折れ曲がって形成される。より具体的には、図１４Ｂに示すように、押付部材４０２の上側の金属棒の手前側の部位は、固定部材４００が閉じた状態での正面視において、押付部材保持部４０３から水平方向に伸び、ケース７４１の外周より内部に入った位置において上側に折れ曲がり、ケース７４１の外周付近で再度水平方向に折れ曲がる。一方、押付部材４０２を構成する２本の金属棒のうち、飲料製造装置１における下側の金属棒の手前側部位は、図１４Ｂに示すように、上下方向には曲がらずに形成される。このような形状により、押付部材４０２の手前側部位はケース７４１に対して広範囲で接することができ、係止部材４０１が係止受け部２７に係止された状態において、押付部材４０２はケース７４１と好適に密着し、ケース７４１を本体２の方向に好適に押し付けることができる。
【００９１】
なお、図１２から図１５において、押付部材４０２の手前側部位は、飲料製造装置１における前後方向にも折れ曲がって形成される。このような形状により、押付部材４０２はケース７４１と好適に密着し、ケース７４１を本体２の方向に好適に押し付けることができる。
【００９２】
押付部材保持部４０３は、本体２の一部に形成され、押付部材４０２を飲料製造装置１の水平面内において回転可能に保持する。図１２から図１５に示すように、押付部材保持部４０３は、平面視において、本体２の端部付近に設けられている。
【００９３】
係止受け部２７は、上述したように、本体２の一部に、かぎ状に形成された係止部材４０１と噛み合うことができるようにかぎ状に形成された受け部材である。係止受け部２７は、図１２から図１５に示すように、平面視において、本体２における押付部材保持部４０３とは反対側の端部付近に設けられている。
【００９４】
上述したような固定部材４００によって、ミルクフォーマ７３を本体２に固定する様子について簡単に説明する。図１３に示すようなミルクフォーマ７３の構成要素が全て組み合わされると、図１２に示すように本体２にミルクフォーマ７３のケース７４１が重ねられた状態となる。ただし、この状態ではミルクフォーマ７３のケース７４１および蓋７４４は、本体２に対してしっかりと固定された状態ではない。
【００９５】
この状態において、固定部材４００の係止部材４０１を押付部材保持部４０３を支点として飲料製造装置１の水平面内において回転させると、係止部材４０１が係止受け部２７の位置に到達する。図１４Ａ、図１４Ｂおよび図１５に示すように係止部材４０１が係止受け部２７に係止されると、押付部材４０２によってミルクフォーマ７３のケース７４１および蓋７４４に対して本体２側に押し付ける方向の圧力が加えられる。なお、押付部材４０２の側方部位の長さは、固定部材４００の係止部材４０１が係止受け部２７に対して係止された状態において、押付部材４０２の手前側部位がケース７４１に密着するような長さとされる。
【００９６】
このように、押付部材４０２によってケース７４１の平面視における手前側の面に対して本体２の方向に圧力が加えられると、ケース７４１と蓋７４４とが、本体２の方向に押し付けられる。例え固定部材４００が閉じられる前には蓋７４４がケース７４１に対してしっかり閉められていなかったとしても、この圧力によって蓋７４４はケース７４１に対してしっかりと閉められた状態となる。なお、図１３等では図示を省略しているが、蓋７４４は閉められた状態でケース７４１と接する位置にシール部材７４４Ｓを有する。このシール部材７４４Ｓにより、蓋７４４がケース７４１に対して閉められた状態において、ギヤポンプ７４内からのミルク漏れを防止することができる。
【００９７】
また、固定部材４００が閉じた状態では、ケース７４１および蓋７４４に対して本体２の方向への圧力が常に加えられているので、ケース７４１および蓋７４４は本体２に密着して固定されており、本体２と反対側の方向へ動くことがない。これにより、ケース７４１内のポンプ側磁石７４５と、本体２側のモータ側磁石２５２との距離が所定距離に保たれる。
【００９８】
図１５を参照して、モータ側磁石２５２とポンプ側磁石７４５との距離が予め設定された所定距離となっていることを説明する。上述したように、ポンプ用モータ２５の駆動トルクをギヤポンプ７４に好適に伝達するためには、モータ側磁石２５２とポンプ側磁石７４５との距離が予め設定された所定距離でなければならない。本開示の実施の形態に係る飲料製造装置１では、図１５に示すように、固定部材４００が閉じた状態において、ケース７４１は押付部材４０２によって本体２の方向に押し付けられ、ケース７４１および蓋７４４が本体２に対して密着して固定された状態となっている。このため、本体２に対して前後方向に固定されているモータ側磁石２５２と、ケース７４１内に収められた大径ギヤ７４２内のポンプ側磁石７４５との距離は、所定距離となり、変動することがない。
【００９９】
なお、図１５は、固定部材４００によってミルクフォーマ７３が本体２に固定された場合に、ノズルユニット７のカバー７１が被せられた状態を示している。図１５に示すように、固定部材４００が閉じた状態における固定部材４００の幅（係止部材４０１から押付部材保持部４０３までの飲料製造装置１の水平方向における幅）は、カバー７１の内面同士の飲料製造装置１の水平方向における距離、すなわち本体２の横幅とほぼ同じか若干小さくなるように構成される。このような構成により、本体２の大きさを大きくせずに固定部材４００を設けることができる。また、固定部材４００とカバー７１間の隙間がほとんど無い構成になるので、ミルクフォーマ７３の動作中に固定部材４００が外れてしまうことを防止することができる。
【０１００】
＜１−９．作用・効果＞
以上説明したように、本開示の実施の形態に係る飲料製造装置１は、ケース７４１の平面視における手前側の面（回転軸２５１に対して垂直な面）に対して、本体２の方向に圧力を加える押付部材４０２と、押付部材４０２を本体２の方向に押し付けるように係止する係止部材４０１と、を有する固定部材４００によって、ケース７４１を本体２に対して固定する。
【０１０１】
このため、本開示によれば、押付部材４０２によってケース７４１の平面視における手前側の面に対して本体２の方向に圧力が加えられると、ケース７４１と、ケース７４１と本体２との間に挟まれた形となる蓋７４４とが、本体２の方向に押し付けられ、本体２に対して密着して確実に固定される。このため、例え固定部材４００が閉じられる前には蓋７４４がケース７４１に対してしっかり閉められていなかったとしても、この圧力によって蓋７４４はケース７４１に対して確実に閉められた状態となる。
【０１０２】
また、本開示によれば、固定部材４００が閉じた状態では、ケース７４１および蓋７４４に対して本体２の方向への圧力が加えられるので、ケース７４１および蓋７４４は本体２に密着して確実に固定され、本体２と反対側の方向へ動くことがない。これにより、ケース７４１内のポンプ側磁石７４５と、本体２側のモータ側磁石２５２との距離が所定距離に保たれる。このため、設計上意図されたポンプ用モータ２５の駆動トルクが、モータ側磁石２５２とポンプ側磁石７４５とのマグネットカップリングによりギヤポンプ７４側に好適に伝達される。
【０１０３】
また、本開示の実施の形態に係る飲料製造装置１において、押付部材４０２は、断面コの字状に形成され、両先端部には係止部材４０１と、押付部材４０２を本体２に対して回転可能に保持する、本体２の一部に設けられた押付部材保持部４０３と、が接続される。このため、本開示によれば、ケース７４１を本体２に対して容易に固定することができる。
【０１０４】
また、本開示の実施の形態に係る飲料製造装置１において、押付部材４０２は、弾力性を有する素材により形成される。このため、本開示によれば、固定部材４００が閉じた状態では、ケース７４１および蓋７４４に対して本体２の方向への圧力が常に加えられるので、ケース７４１および蓋７４４は本体２に密着して固定され、本体２と反対側の方向へ動くことがない。
【０１０５】
＜１−１０．付記＞
なお、上述した実施の形態では、固定部材４００は押付部材保持部４０３を支点として回転可能に形成された押付部材４０２と、係止部材４０１とを有して構成されていたが、本発明はこれに限定されない。固定部材は必ずしも本体２に接続されている必要はなく、例えば本体２の水平方向両端部にかぎ状の係止受け部を設け、係止された状態においてケース７４１と好適に密着するような形状に形成された固定部材を、飲料製造装置１における手前方向から奥方向に嵌めこむことができるように、平面視におけるコの字形状の両先端部に、係止受け部に係止されるかぎ状の係止部材を形成した固定部材であってもよい。
【０１０６】
また、上述した実施の形態では、固定部材４００は棒状の押付部材４０２によってケース７４１に対して圧力を加えていたが、本発明はこれに限定されない。例えば、押付部材４０２は、棒状ではなく、ケース７４１の手前側の面と好適に密着することができる形状のほぼ帯状の面を有する弾性部材で構成されていてもよい。
【産業上の利用可能性】
【０１０７】
本開示は、ミルクフォーマを有する飲料製造装置に有用である。
【符号の説明】
【０１０８】
１  飲料製造装置
２  本体
３  ドア
４  ボタン群
５  キャニスタ
６  ミルク保冷庫
７  ノズルユニット
８  ドリップトレイ
９  ミルクパック
１０  容器
２１  コーヒー抽出部
２１１  湯タンク
２１２  湯ポンプ
２１３  フィルタ
２１４  給湯弁
２１５  コーヒー側給湯配管
２１６  昇降装置
２１７  シリンダユニット
２１８  キャップ
２１９  シリンダ
２２１０  ピストン
２２１１  抽出孔
２２１２  コーヒー液配管
２２１３  ミル
２２  蒸気供給部
２２１  電磁ポンプ
２２２  ミルク側給湯配管
２２３  ボイラ
２２４  蒸気用配管
２２５  三方弁
２３  ミルク供給部
２３１  ミルク供給配管
２４  空気供給部
２４１  エアポンプ
２４２  空気供給配管
２４３  空気弁
２５  ギヤポンプ用モータ
２５１  回転軸
２５２  モータ側磁石
２６  バルブ用モータ
２６１  回転軸
２６２  モータ側ギヤ
２７  係止受け部
４００  固定部材
４０１  係止部材
４０２  押付部材
４０３  押付部材保持部
７１  カバー
７２  コーヒー用ノズル
７３  ミルクフォーマ
７４  ギヤポンプ
７４１  ケース
７４２  大径ギヤ
７４３  小径ギヤ
７４４  蓋
７４５  ポンプ側磁石
７４６  ミルク用入口
７４７  空気用入口
７４８  ミルク用出口
７５  分岐部
７５１  入口
７５２  第１出口
７５３  第２出口
７５４  開口
７６  バルブ
７６１  回転体
７６２  第１リング溝
７６３  第２リング溝
７６４  第１Ｏリング
７６５  第２Ｏリング
７６６  バルブ側ギヤ
７７  コールドミルク用ノズル
７８  調質器
７９  ミルク用流路
７１０  ホットミルク用ノズル
【図１】
2018038756.tif 000003
【図２】
2018038756.tif 000004
【図３】
2018038756.tif 000005
【図４】
2018038756.tif 000006
【図５】
2018038756.tif 000007
【図６】
2018038756.tif 000008
【図７】
2018038756.tif 000009
【図８】
2018038756.tif 000010
【図９】
2018038756.tif 000011
【図１０】
2018038756.tif 000012
【図１１】
2018038756.tif 000013
【図１２】
2018038756.tif 000014
【図１３】
2018038756.tif 000015
【図１４Ａ】
2018038756.tif 000016
【図１４Ｂ】
2018038756.tif 000017
【図１５】
2018038756.tif 000018